(57)【要約】      （修正有）【課題】遊園地等の移動乗車体からネオン管が落下した場合であっても、破損したネオン管のガラスが飛び散ることがなく、子供等が怪我をすることを回避でき、また、虫害によるネオン管の寿命減少を防ぐことができるため、ネオン管の交換の手間とコストを低減できる飛散防止型ネオン管システムを提供する。【解決手段】ネオン管１０と、このネオン管１０のガラス管１１に貼着された飛散防止シート２０と、ネオン管１０を駆動するインバーター型のトランスとを備え、１０００Ｖ未満の電圧を前記ネオン管１０に印加することを特徴とするネオン管システム。【選択図】図１
0003183092.tif 000002
【実用新案登録請求の範囲】
【請求項１】
屋外に設置される移動乗車体に用いられる飛散防止型ネオン管システムであって、
ネオン管と、
当該ネオン管のガラス管に設けられた飛散防止構造と、
前記ネオン管を点灯するためのインバーター式のトランスと、
を備え、
前記インバーター式のトランスは、前記ネオン管が点灯可能な電圧以上であって且つ１０００Ｖ以下の電圧を前記ネオン管に印加する
ことを特徴とする飛散防止型ネオン管システム。
【請求項２】
前記飛散防止構造は、前記ネオン管のガラス管表面に貼着された飛散防止シートにより構成されることを特徴とする請求項１に記載の飛散防止型ネオン管システム。
【請求項３】
前記飛散防止構造は、前記ネオン管のガラス管表面に塗布された飛散防止塗膜により構成されることを特徴とする請求項１に記載の飛散防止型ネオン管システム。
【考案の詳細な説明】
【技術分野】
【０００１】
本考案は、ネオン管システム、特に遊園地における観覧車等に適した飛散防止型ネオン管システムに関する。
【背景技術】
【０００２】
ネオン管は、広告宣伝やインテリアのために広く用いられている。多彩な発光色、自由な形状、調光性等の特長を備え、表現豊かな光の演出を作り出すことができる。
ネオン管が使用される場所は多様であり、ビルの屋上やビルの壁面等に設置されるのが一般的であるが、近年では店の内部等にもインテリアとして用いられている。
【０００３】
また、遊園地においては、観覧車やジェットコースター等の移動乗車体にも取り付けられ、遠方からも視認可能であり、それを見た人に遊園地に行ってみたいという気持ちを引き起こさせる効果がある。移動乗車体に取り付けられるため、光が移動することで、より印象的且つ効果的な広告の役割を果たすことができる。
【考案の概要】
【考案が解決しようとする課題】
【０００４】
しかしながら、移動乗車体に取り付けられたネオン管が何らかの原因で落下した場合、落下する可能性がある位置が広範囲に渡るため、その範囲を立ち入り禁止区域にすることは困難である。したがって、落下したネオン管のガラス管が破損し、ガラスが飛散して子供等を傷つける懸念がある。そこで、飛散防止構造を有するネオン管が求められている。
【０００５】
また、移動乗車体の多くのゴンドラおよびそれを支える支柱ごとに複数のネオン管を取付けるため、すべてのネオン管を交換することは多大な手間とコストを要する。例えば、観覧車のネオン管を交換するためには、ゴンドラ一台々々を乗車地点で停止し、それぞれのゴンドラや支柱の上に登ってネオン管を取り換える必要がある。このような手間とコストを低減するため、ネオン管の交換周期をできるだけ長くすることが必要である。すなわち、ネオン管の寿命をできるだけ長くすることが求められている。
【課題を解決するための手段】
【０００６】
本考案の請求項１に係る飛散防止型ネオン管システムは、屋外に設置される移動乗車体に用いられる飛散防止型ネオン管システムであって、ネオン管と、当該ネオン管のガラス管に設けられた飛散防止構造と、前記ネオン管を点灯するためのインバーター式のトランスと、を備え、
前記インバーター式のトランスは、前記ネオン管が点灯可能な電圧以上であって且つ１０００Ｖ以下の電圧を前記ネオン管に印加することを特徴とする。
【０００７】
本考案の請求項２に係る飛散防止型ネオン管システムは、前記飛散防止構造が、前記ネオン管のガラス管表面に貼着された飛散防止シートにより構成されることを特徴とする。
【０００８】
本考案の請求項３に係る飛散防止型ネオン管システムは、前記飛散防止構造が、前記ネオン管のガラス管表面に塗布された飛散防止塗膜により構成されることを特徴とする。
【考案の効果】
【０００９】
本考案に係る飛散防止型ネオン管システムは上記のように構成されるため、移動乗車体からネオン管が落下した場合であっても、破損したネオン管のガラスが飛び散ることがなく、子供等が怪我をすることを回避できる。
また、虫害によるネオン管の寿命減少を防ぐことができるため、ネオン管の交換の手間とコストを低減できる。
【００１０】
さらに、ネオン管の設置制限を考慮しなくても良いため、スペースが極めて限られた移動乗車体に設置する場合であっても、多彩な色や形状の複数のネオン管を用いることが可能となり、様々なデザインの光の演出が可能となる。
また、軽量且つ小型のトランスを使用できるため、スペースが極めて限られた移動乗車体でも容易にトランスを収納でき、さらに、移動乗車体の積載重量をほとんど損なうことが無い。
【図面の簡単な説明】
【００１１】
【図１】本考案に係る飛散防止型ネオン管システムに用いる飛散防止型ネオン管の構成を説明するための図である。
【考案を実施するための形態】
【００１２】
実施の形態１．
本考案に係る飛散防止型ネオン管システムの構成等に関して、以下において、図面を用いて説明する。なお、以下の説明は本考案に関する良好な一例を開示するものであり、本考案が当該実施の形態に限定されるものではない。
【００１３】
まず、本考案に係る飛散防止型ネオン管システムの構成について説明する。
図１は、飛散防止型ネオン管システムに用いる飛散防止型ネオン管の構成を説明するための図であり、（ａ）は部品図、（ｂ）は完成した飛散防止型ネオン管である。
飛散防止型ネオン管は、ネオン管１０と飛散防止シート２０とからなる。
【００１４】
ネオン管１０は、一般に市販されるネオン管で良く、ガラス管１１と、ガラス管１０の両端部に設けられた電極１２と、電極に電圧を印加するための被覆配線１３とを備えている。ガラス管１１の中には、低圧のネオンやアルゴン等の気体が封入されている。両電極１２間に、気体を励起状態にするために必要な電圧を与えると、封入された気体から発光が得られる。気体の種類を変えたり、ガラス管１１の内壁に蛍光塗料を塗布することで、様々な色の光が得られる。ネオン管の形状は図１に示すように直管であっても良く、また、その他の形状のネオン管であっても良い。
【００１５】
被覆配線１３には、図示しない変圧器が接続されている。変圧器は、通常の１００Ｖあるいは２００Ｖ電源を高圧に変換し、変換された高圧の電圧は、２つの電極１２間に印加される。一般に、ネオン管を点灯させるためのトランスは、コイル式のトランスが用いられるが、本実施の形態では、インバーター式のトランスを使用している。
【００１６】
インバーター式のトランスの重量は、コイル式のトランスに比べて、１０〜数十分の１と極めて軽量であり、また小型であるため、設置場所を選ばないというメリットがある。また、低電圧でも安定にネオン管を点灯することができるとともに、漏れ電流が少ないという特長を有している。
【００１７】
飛散防止シート２０は、片面が粘着性を有する透明な樹脂フィルムである。本実施の形態においては、ポリエステルフィルムにアクリル系粘着剤を塗布したフィルムを用いた。ネオン管１０のガラス管１１の表面を完全に覆うことができる大きさの飛散防止シート２０を用意し、ガラス管１１の周囲に粘着させたものを図１（ｂ）に示す。なお、ガラス管１１の形状が直管形状では無い場合には、その形状の各部表面を覆うことができる形状の複数の飛散防止シート２０を用意し、各部表面にそれぞれの飛散防止シート２０を粘着させてやればよい。
【００１８】
次に、本考案に係る飛散防止型ネオン管システムの設置方法および使用方法について説明する。
本考案に係る飛散防止型ネオン管システムは、遊園地等の屋外にある観覧車やジェットコースター等の移動乗車体に適している。例えば、観覧車のそれぞれのゴンドラの上部や側面、あるいは、各ゴンドラを支える支柱等に飛散防止型ネオン管を設置する。それぞれのゴンドラに色や形状の異なる複数の飛散防止型ネオン管を設置しても良い。通常は、ゴンドラ１台当たり、数１０本から１００本程度の飛散防止型ネオン管を設置する。
【００１９】
また、飛散防止型ネオン管を点灯させるためのインバーター式のトランスを各ゴンドラに設置する。そして、インバーター式のトランスは、１００Ｖ又は２００Ｖの電源と接続し、また、ネオン管１０の被覆配線１３と接続する。インバーター式のトランスは小型であるため、ゴンドラの椅子の下等の狭いスペースであっても目立つことなく収納できる。あるいは、ゴンドラを支える支柱に取り付けても良い。なお、トランス１台で４本程度のネオン管を点灯させることが可能である。
【００２０】
さらに、本実施の形態で用いたインバーター式のトランスは、４００ｇと非常に軽量であるため、ゴンドラの積載可能重量を気にすることなく設置できる。したがって、ゴンドラ１台当たり６０本のネオン管を設置する場合には、１５台のインバーター式のトランスが必要であるが、その総重量はわずかに６ｋｇである。
一方、コイル式のトランスを用いた場合、１台当たり１０ｋｇ以上もの重量があるため、ゴンドラ１台当たりのトランスの総重量は１５０ｋｇを越え、観覧車の駆動力を大幅に増強する必要が生じる。
【００２１】
飛散防止型ネオン管とインバーター式のトランスの設置および配線が完了後、インバーター式のトランスにより、飛散防止型ネオン管に電圧を印加し、飛散防止型ネオン管を点灯させる。本実施の形態においては、印加電圧は９００Ｖとしたが、飛散防止型ネオン管が点灯可能な最低電圧以上であって、１０００Ｖ以下の電圧であれば良い。
【００２２】
次に本考案に係る飛散防止型ネオン管システムの特徴について説明する。
第一に、ネオン管が万一、地上に落下した場合であっても、飛散防止型構造を有するため、落下時にガラスが飛び散って、近くを通行している子供や保護者等が怪我をすることが無い。観覧車やジェットコースター等の移動乗車体に設置されるネオン管の場合、落下する可能性のある範囲は非常に広くなり、その範囲全般に渡って安全措置を講ずることは困難であるため、ネオン管が飛散防止型構造を有することは、子供等を保護するために極めて大切なことである。
【００２３】
第二に、インバーター式のトランスを用いているため、低い電圧であっても、ネオン管を安定に点灯させることができる。このように低い電圧でネオン管を点灯させるメリットについて、以下に説明する。
まず、ネオン管の寿命が伸びるため、ネオン管の交換周期を長くでき、ネオン管の交換に関するメンテナンス費用を削減できる。一般に、ネオン管は蛍光灯と比較して長寿命である。しかし、遊園地のような場所においては、虫害によりネオン管の寿命が制限されてしまうことがある。
【００２４】
例えば、街中に設置されるネオン管の場合、街中にはネオン以外にも多くの照明があるため、多くの虫がネオン管のまわりに集まることは無い。一方で、遊園地の場合には、街中ほどの照明が無いため、観覧車等に設置されたネオン管の光に誘われて、極めて多くの虫が集まってくる。観覧車のように高い場所では、さらに虫が集まりやすい。そして、集まった虫は、ネオン管のガラス管端部付近から発生する洩れ電界に吸い寄せられるため、ガラス管端部には虫の死骸が蓄積する。蓄積した虫の死骸は、ネオン管からの漏れ電流を大きくするため、この漏れ電流によりネオン管が破損することで、ネオン管の寿命が、ネオン管本来の寿命よりも短くなってしまう。
【００２５】
特に、飛散防止シートは樹脂材料からなるため、洩れ電界により大きな電気分極が生じ、一層、虫を吸い寄せやすくなることが懸念される。
ネオン管は、通常は１５ｋＶもの高い電圧で点灯されるが、インバーター式のトランスを用いて低い電圧で点灯すれば、ネオン管のガラス管端部付近から発生する洩れ電界は非常に小さくなるため、洩れ電界に吸い寄せられる虫の数は少なくなり、死骸の蓄積量を抑えることができる。また、低い電圧で点灯すれば、漏れ電流も小さくなるため、虫害による寿命劣化を抑止することができる。
【００２６】
さらに、低い電圧で点灯すれば、ガラス管表面の温度上昇を抑えることが可能となり、また、漏れ電流やネオン管から発生する紫外線量も小さくできるため、それらによる飛散防止シートへのダメージを低減できる。これにより、例えば、飛散防止シートの接着層の劣化を抑え、飛散防止シートの寿命も長くすることができる。
【００２７】
第三に、インバーター式のトランスを用いているため、低い電圧、特に１０００Ｖ以下の電圧であっても、ネオン管を安定に点灯させることができる。消防法や各自治体が定める条例、ネオン組合の規定、電気工事法等において、ネオン管の設置に関して多くの制限が設けられている。例えば、近接する場所に樹脂等を設置することが禁止されていたり、複数のネオン管を近接して設置することが禁止されていたりする。このような制限があるため、観覧車のゴンドラのように狭いスペースに複数のネオン管を自由に配置することは困難である。
【００２８】
しかしながら、上記の消防法や各自治体が定める条例は、１０００Ｖを超える電圧で点灯されるネオン管にのみ適用されるため、１０００Ｖ以下の電圧でネオン管を点灯した場合には、このような制限を気にすることなく、狭いスペースであっても、複数のネオン管を自由に配置することが可能となる。それによって、様々なデザインをネオン管で表現することが可能となる。
【００２９】
第四に、インバーター式のトランスは、軽量且つコンパクトであり、ゴンドラの積載重量を気にすることなく、また狭いスペースにも収納可能であるため、観覧車等に設置することに適している。
【００３０】
なお、本実施の形態においては、ネオン管の飛散防止構造として飛散防止シートを用いたが、飛散防止シートの代わりに、飛散防止塗膜をネオン管のガラス管表面に塗布しても同様の効果を得ることができる。
【符号の説明】
【００３１】
１０  ネオン管
１１  ガラス管
１２  電極
１３  被覆配線
２０  飛散防止シート
【図１】
0003183092.tif 000003